(57)【要約】【課題】複数の候補から一つの防御動作を状況に応じて選択的に行わせ、かつ、防御動作の誤作動を防止することを課題とする。【解決手段】携帯端末１０は、操作キー１０２、加速度センサ１０３、光センサ１０４からそれぞれの入力を受け付ける。その入力が所定の条件を満たした場合に、ボタン操作判定部２０４、加速度判定部２０５、光強度判定部２０６あるいは音声認識部２０７からは、所定の識別情報が出力される。防御動作選択テーブル３１０には、複数の識別情報の組合せごとに大音量出力部２０１、メール送信部２０２あるいは電話番号発信部２０３の識別情報が登録される。防御動作実行制御部２０９は、テーブルを参照し、各部から受け取った複数の識別情報の組合せに対応する識別情報を選択し、当該識別情報で識別される部に防御動作を実行させる。【選択図】        図１
2010010970.tif 000002
【特許請求の範囲】
【請求項１】
防犯機能付きの携帯端末であって、
複数の防御動作のうち一つを選択的に実行する防御動作実行手段と、
当該の携帯端末が所定の条件を満たす入力を受け付けた場合に、該条件に対応する入力識別情報を出力する入力識別手段と、
第１の識別情報と第２の識別情報の組合せ毎に、前記防御動作を識別するための防御動作識別情報が登録される記憶手段と、
前記記憶手段に登録されている前記第１の識別情報と前記第２の識別情報の組合せのうち、前記入力識別手段によって出力された入力識別情報の１つである一次入力識別情報と前記第１の識別情報が一致し、前記一次入力識別情報の次に前記入力識別手段によって出力された入力識別情報である二次入力識別情報と前記第２の識別情報が一致する組合せに対応する前記防御動作識別情報を前記記憶手段から取得し、取得された防御動作識別情報によって識別される防御動作を前記防御動作実行手段に実行させる防御動作実行制御手段と
を備えたことを特徴とする携帯端末。
【請求項２】
前記記憶手段は、前記組合せ毎に、所定の時間がさらに登録され、
前記防御動作実行手段は、前記組合せのうち、前記入力識別手段によって出力された入力識別情報の１つである一次入力識別情報と前記第１の識別情報が一致し、前記一次入力識別情報の次に前記入力識別手段によって出力された入力識別情報である二次入力識別情報と前記第２の識別情報が一致する組合せに対応し、かつ、前記一次入力識別情報が出力されてから、前記二次入力識別情報が出力されるまでにかかった時間より短い前記所定の時間に対応する前記防御動作識別情報を前記記憶手段から取得することを特徴とする請求項１に記載の携帯端末。
【請求項３】
前記記憶手段に登録された登録内容に対する変更要求を受け付けて変更する登録内容変更手段をさらに備えたことを特徴とする請求項１または２に記載の携帯端末。
【請求項４】
防犯機能付きの携帯端末に実行させる防御動作実行プログラムであって、
第１の識別情報と第２の識別情報の組合せ毎に、前記防御動作を識別するための防御動作識別情報を所定の記憶部から読み出す読出手順と、
複数の防御動作のうち一つを選択的に実行する防御動作実行手順と、
当該の携帯端末が所定の条件を満たす入力を受け付けた場合に、該条件に対応する入力識別情報を出力する入力識別手順と、
前記読出手順に読み出された前記第１の識別情報と前記第２の識別情報の組合せのうち、前記入力識別手順によって出力された入力識別情報の１つである一次入力識別情報と前記第１の識別情報が一致し、前記一次入力識別情報の次に前記入力識別手順によって出力された入力識別情報である二次入力識別情報と前記第２の識別情報が一致する組合せに対応する前記防御動作識別情報を選択し、選択された防御動作識別情報によって識別される防御動作を前記防御動作実行手順に実行させる防御動作実行制御手順と
を携帯端末に実行させることを特徴とする防御動作実行プログラム。
【請求項５】
前記読出手順は、前記組合せ毎に、所定の時間をさらに読み出し、
前記防御動作実行手順は、前記組合せのうち、前記入力識別手順によって出力された入力識別情報の１つである一次入力識別情報と前記第１の識別情報が一致し、前記一次入力識別情報の次に前記入力識別手順によって出力された入力識別情報である二次入力識別情報と前記第２の識別情報が一致する組合せに対応し、かつ、前記一次入力識別情報が出力されてから、前記二次入力識別情報が出力されるまでにかかった時間より短い前記所定の時間に対応する前記防御動作識別情報を選択することを特徴とする請求項４に記載の防御動作実行プログラム。
【発明の詳細な説明】
【技術分野】
【０００１】
この発明は、防犯機能付きの携帯端末および当該の携帯端末に実行させる防御動作実行プログラムに関し、特に、複数の候補から一つの防御動作を状況に応じて選択的に行わせることができ、かつ、防御動作の誤作動を防止することが可能な携帯端末および当該の携帯端末に実行させる防御動作実行プログラムに関する。
【背景技術】
【０００２】
近年、携帯電話やＰＨＳ等の携帯端末は、通話や情報の送受信のほか、防犯のためにも用いられるようになってきている。このような携帯端末の中には、例えば、ボタン操作を受け付けたうえで、大音量を出す、あるいは、指定の連絡先に発信するなど、予めユーザにより選択された防御動作を行なうものがある。
【０００３】
また、マイクから入力される音声に対して音声認識を行い、所定のキーワードを確認した場合に防御動作を実行するというように、何らかのセンサからの入力を利用して所定の防御動作を行うものがある。
【０００４】
【特許文献１】特開２００７−２８８７７１号公報
【発明の開示】
【発明が解決しようとする課題】
【０００５】
しかしながら、上述した従来の携帯端末のうち、ボタン操作を受け付ける携帯端末では、異常事態が発生した際に、必ずしも、状況に応じた適切な防御動作が行われないという問題があった。例えば、誘拐犯に捕まり、こっそり指定の連絡先に発信したいのに、現在選択中の防御動作が大音量の出力だったという場合があり得る。また、暴漢などに襲われそうになり、大音量で相手を威嚇、または、身の危険を周囲に知らせたいのに、現在選択中の防御動作が指定の連絡先への発信だったという場合もあり得る。
【０００６】
また、センサからの入力を利用して所定の防御動作を行う携帯端末では、持ち主の日常における動作でも異常事態が発生したと判定してしまうことがあり、ボタン操作に比べて誤作動が多いという問題があった。例えば、上記した所定のキーワードに一般的に選択される「タスケテ」という言葉は、友達とふざけあっていても発声されることがあり、必要のないときに防御動作が行われる場合があり得る。
【０００７】
この発明は、上述した従来技術の課題を解決するためになされたものであり、複数の候補から一つの防御動作を状況に応じて選択的に行わせることができ、かつ、防御動作の誤作動を防止することが可能な携帯端末および当該の携帯端末に実行させる防御動作実行プログラムを提供することを目的とする。
【課題を解決するための手段】
【０００８】
上述した課題を解決し、目的を達成するため、この端末は、防犯機能付きの携帯端末であって、複数の防御動作のうち一つを選択的に実行する防御動作実行手段と、当該の携帯端末が所定の条件を満たす入力を受け付けた場合に、該条件に対応する入力識別情報を出力する入力識別手段と、第１の識別情報と第２の識別情報の組合せ毎に、前記防御動作を識別するための防御動作識別情報が登録される記憶手段と、前記記憶手段に登録されている前記第１の識別情報と前記第２の識別情報の組合せのうち、前記入力識別手段によって出力された入力識別情報の１つである一次入力識別情報と前記第１の識別情報が一致し、前記一次入力識別情報の次に前記入力識別手段によって出力された入力識別情報である二次入力識別情報と前記第２の識別情報が一致する組合せに対応する前記防御動作識別情報を前記記憶手段から取得し、取得された防御動作識別情報によって識別される防御動作を前記防御動作実行手段に実行させる防御動作実行制御手段とを備えたことを要件とする。
【０００９】
また、このプログラムは、防犯機能付きの携帯端末に実行させる防御動作実行プログラムであって、第１の識別情報と第２の識別情報の組合せ毎に、前記防御動作を識別するための防御動作識別情報を所定の記憶部から読み出す読出手順と、複数の防御動作のうち一つを選択的に実行する防御動作実行手順と、当該の携帯端末が所定の条件を満たす入力を受け付けた場合に、該条件に対応する入力識別情報を出力する入力識別手順と、前記読出手順に読み出された前記第１の識別情報と前記第２の識別情報の組合せのうち、前記入力識別手順によって出力された入力識別情報の１つである一次入力識別情報と前記第１の識別情報が一致し、前記一次入力識別情報の次に前記入力識別手順によって出力された入力識別情報である二次入力識別情報と前記第２の識別情報が一致する組合せに対応する前記防御動作識別情報を選択し、選択された防御動作識別情報によって識別される防御動作を前記防御動作実行手順に実行させる防御動作実行制御手順とを携帯端末に実行させることを要件とする。
【発明の効果】
【００１０】
本開示した携帯端末によれば、複数の候補から一つの防御動作を状況に応じて選択的に行わせることができ、かつ、防御動作の誤作動を防止することができるという効果を奏する。
【発明を実施するための最良の形態】
【００１１】
以下に添付図面を参照して、本発明に係る携帯端末および当該の携帯端末に実行させる防御動作実行プログラムの好適な実施の形態を詳細に説明する。
【実施例】
【００１２】
まず、本実施例に係る携帯端末の概要を説明する。本実施例に係る携帯端末は、防犯機能付きの携帯端末である。防犯機能付きの携帯端末では、ユーザは、例えば、本体に設けられた専用のボタンを押下することで、ブザーから大音量の警報音を出したり、予め登録された連絡先にワンタッチで電話をかけたりすることができる。また、防犯機能付きの携帯端末では、ユーザの意思とは関係なく、自動で、前述した警告音を出す等の動作が行われる場合もある。その場合、携帯端末は、自身が備える何らかのセンサ、例えば、加速度センサや光センサなどのセンサからの入力を常に監視し、入力が所定の条件を満たした場合に、警告音を出す等の動作を行う。以下では、警告音を出す等、ユーザに起こった異常事態に対処するための動作を防御動作と呼称する。
【００１３】
このような防犯機能付きの携帯端末は従来から存在したが、本実施例に係る携帯端末では、ボタンが押下されただけ、あるいは、センサからの入力が所定の条件を満たしただけで防御動作が行われることはない。本実施例に係る携帯端末は、例えば、ボタンが押下されたならば、その後、何らかのセンサからの入力が所定の条件を満たした場合に、あるいは、加速度センサからの入力が所定の条件を満たし、その後、光センサからの入力が所定の条件を満たした場合に、防御動作を行なう。
【００１４】
この携帯端末によれば、例えば、ユーザの日常の動作で、専用のボタンが誤って押されてしまった、あるいは、センサからの入力が所定の条件を満たしてしまった場合でも、防御動作が行われることがなく、防御動作の誤作動を防止することが可能となる。また、ボタンが押下され、その後、加速度センサからの入力が所定の条件を満たした場合と、ボタンが押下され、その後、光センサからの入力が所定の条件を満たした場合とでは、異なる防御動作が行われるようになっており、ユーザは、複数の候補から一つの防御動作を状況に応じて選択的に行うことができる。
【００１５】
図１を用いて本実施例に係る携帯端末の構成を説明する。図１は、本実施例に係る携帯端末の構成を示すブロック図である。図１に示すように、携帯端末１０は、スピーカ１０１と、操作キー１０２と、加速度センサ１０３と、光センサ１０４と、マイク１０５と、表示部１０６と、制御部１０７と、記憶部１０８と、アンテナ１０９とを備える。なお、図１には、防御動作の実行に関連する構成のみを示している。
【００１６】
制御部１０７は、携帯端末１０を全体制御する制御部であり、大音量出力部２０１と、メール送信部２０２と、電話番号発信部２０３と、ボタン操作判定部２０４と、加速度判定部２０５と、光強度判定部２０６と、音声認識部２０７と、テーブル設定処理部２０８と、防御動作実行制御部２０９と、無線通信処理部２１０とを備える。記憶部１０８は、各種情報を記憶する記憶部であり、防御動作選択テーブル３１０と、音声パターン３２０とを記憶する。
【００１７】
操作キー１０２は、携帯端末１０に設けられた数字キーや機能キーであり、各キーが押下されることによってそれぞれ異なる信号をボタン操作判定部２０４に出力する。加速度センサ１０３は、携帯端末１０にかかる３軸方向の加速度をそれぞれ取得し、加速度判定部２０５に出力する。光センサ１０４は、携帯端末１０に当たる光の強度を取得し、光強度判定部２０６に出力する。マイク１０５は、音声を電気信号に変換し、音声認識部２０７に出力する。
【００１８】
ボタン操作判定部２０４は、操作キー１０２からの信号入力があるたびに、所定のキーが押下されたことによる信号入力であるかを判定し、複数の識別情報のうち、判定結果に応じた一つの識別情報を防御動作実行制御部２０９に出力する。具体的には、ボタン操作判定部２０４は、各キーが押下されることによって操作キー１０２から出力されたそれぞれの信号を受け取る。そして、ボタン操作判定部２０４は、それぞれの信号のうち、あるキーが押下されたことによって出力された信号を受け取った場合には、所定の識別情報を出力し、別のあるキーが押下されたことによって出力された信号を受け取った場合には、前述した所定の識別情報とは異なる識別情報を出力する。
【００１９】
加速度判定部２０５は、加速度センサ１０３からの入力に基づいて、携帯端末１０にどのような運動が加えられたかを判定し、複数の識別情報のうち、判定結果に応じた一つの識別情報を防御動作実行制御部２０９に出力する。例えば、加速度判定部２０５は、携帯端末１０が上下に振動し、その運動に応じた加速度が加速度センサ１０３から入力された場合には、所定の識別情報を出力し、携帯端末１０が左右に振動し、その運動に応じた加速度が加速度センサ１０３から入力された場合には、前述した所定の識別情報とは異なる識別情報を出力する。
【００２０】
光強度判定部２０６は、光センサ１０４からの入力で光の強度が急に減ったか、光の強度が所定値より小さいかなどを判定し、複数の識別情報のうち、判定結果に応じた一つの識別情報を防御動作実行制御部２０９に出力する。例えば、光強度判定部２０６は、光センサ１０４の入力から、光の強度が急に減ったと判定した場合には、所定の識別情報を出力し、光の強度が所定値より小さくなったと判定した場合には、前述した所定の識別情報とは異なる識別情報を出力する。
【００２１】
音声認識部２０７は、マイク１０５から入力される音声情報に対して音声認識を行なっており、音声パターン３２０を参照し、複数の識別情報のうち、音声認識の結果に応じた一つの識別情報を防御動作実行制御部２０９に出力する。ここで、音声パターン３２０について説明すると、音声パターン３２０は、図３に示すように、キーワードと、識別情報とが対応付けられたものである。キーワードは、タスケテやイタイなどの言葉の音声情報である。識別情報は、各キーワードを識別するための情報である。音声認識部２０７は、音声認識の結果、音声パターン３２０内のキーワードを抽出した場合には、キーワードに対応付けられた識別情報を出力する。
【００２２】
上述したように、ボタン操作判定部２０４、加速度判定部２０５、光強度判定部２０６および音声認識部２０７から出力される識別情報は、いずれの部におけるどの判定結果であるかを一意に識別するものである。
【００２３】
なお、各部からは、複数の識別情報のうち、判定結果に応じた一つの識別情報が出力されるものとして説明したが、本開示の技術はこれに限定されるものではなく、各部からは、一つの識別情報のみが出力されるようにしてもよい。
【００２４】
例えば、ボタン操作判定部２０４は、あるキーが押下されたことによって出力された信号が入力されても、別のあるキーが押下されたことによって出力された信号が入力されても、所定の識別情報のみを出力するようにしてもよい。また、加速度判定部２０５は、携帯端末１０が上下に振動し、その運動に応じた加速度が加速度センサ１０３から入力されても、携帯端末１０が左右に振動し、その運動に応じた加速度が加速度センサ１０３から入力されても、所定の識別情報のみを出力するようにしてもよい。また、光強度判定部２０６は、光センサ１０４の入力から、光の強度が急に減ったと判定しても、光の強度が所定値より小さくなったと判定しても、所定の識別情報を出力するようにしてもよい。また、音声認識部２０７は、音声認識の結果、音声パターン３２０内のいずれのキーワードを抽出した場合でも、所定の識別情報を出力するようにしてもよい。このような場合、ボタン操作判定部２０４、加速度判定部２０５、光強度判定部２０６および音声認識部２０７から出力される識別情報は、いずれの部における判定結果であるかを一意に識別するものとなる。
【００２５】
テーブル設定処理部２０８は、操作キー１０２からの入力に基づいて、表示部１０６に所定の画面を表示し、防御動作選択テーブル３１０の内容を変更する。
【００２６】
防御動作実行制御部２０９は、ボタン操作判定部２０４、加速度判定部２０５、光強度判定部２０６あるいは音声認識部２０７から出力される識別信号と、防御動作選択テーブル３１０とを用いて、大音量出力部２０１、メール送信部２０２または電話番号発信部２０３が所定の防御動作を実行するように制御する。
【００２７】
ここで、防御動作選択テーブル３１０について説明すると、防御動作選択テーブル３１０は、図２に示すように、第１識別情報と第２識別情報の組合せごとに、時間情報と、命令先とが対応付けられたものである。第１識別情報および第２識別情報は、ボタン操作判定部２０４、加速度判定部２０５、光強度判定部２０６および音声認識部２０７の判定結果を識別するための識別情報である。時間情報は、所定の時間を示す情報である。命令先は、防御動作を実行する各部を識別するための識別情報である。なお、図２に示した防御動作選択テーブル３１０は、第１識別情報と第２識別情報の組合せごとに、命令先が一つ対応付けられたものであるが、例えば、大音量出力部およびメール送信部といったように、命令先を複数対応付けてもよい。
【００２８】
防御動作実行制御部２０９の説明に戻って、防御動作実行制御部２０９は、ボタン操作判定部２０４、加速度判定部２０５、光強度判定部２０６あるいは音声認識部２０７から識別情報を受け取る。そして、防御動作実行制御部２０９は、防御動作選択テーブル３１０における第１識別情報と第２識別情報の組合せのうち、前回受け取った識別情報と第１識別情報が一致し、今回受け取った識別情報と第２識別情報が一致する組合せがあれば、当該組合せに対応付けられた時間情報と命令先を選択する。そして、防御動作実行制御部２０９は、識別情報の受け取り間隔と選択した時間情報を比較し、受け取り間隔が時間情報よりも小さい場合には、選択した命令先に制御信号を出力する。
【００２９】
例えば、防御動作実行制御部２０９は、ボタン操作判定部２０４から識別情報Ａを受け取り、２５秒後に、加速度判定部２０５から識別情報Ｂを受け取った場合には、防御動作選択テーブル３１０における第１識別情報Ａと第２識別情報Ｂの組合せに対応付けられた時間情報「３０」を選択する。そして、防御動作実行制御部２０９は、識別情報Ａと識別情報Ｂの受け取り間隔である２５秒と時間情報「３０」を比較し、受け取り間隔が時間情報よりも小さいので、大音量出力部２０１に制御信号を出力する。
【００３０】
また、防御動作実行制御部２０９は、加速度判定部２０５から識別情報Ｂを受け取り、５０秒後に、ボタン操作判定部２０４から識別情報Ａを受け取った場合には、防御動作選択テーブル３１０における第１識別情報Ｂと第２識別情報Ａの組合せに対応付けられた時間情報「４０」を選択する。そして、防御動作実行制御部２０９は、識別情報Ｂと識別情報Ａの受け取り間隔である５０秒と時間情報「４０」を比較する。この場合、受け取り間隔が時間情報よりも大きいので、防御動作実行制御部２０９は、次の識別情報を受け取るまで待機する。
【００３１】
このように、防御動作実行制御部２０９は、２つの識別情報の組合せによって、大音量出力部２０１、メール送信部２０２または電話番号発信部２０３のいずれに防御動作を実行させるかを決定する。その結果、日常において、例えば、ユーザが誤って操作キー１０２を操作してしまう、あるいは、加速度センサ１０３、光センサ１０４またはマイク１０５からの入力が所定の条件を満たしてしまう場合があっても、防御動作実行制御部２０９が一つの識別情報を受け取るだけであり、携帯端末１０が防御動作を行うに至らない。また、防御動作実行制御部２０９が次の識別情報を受け取ったとしても、防御動作選択テーブル３１０の検索結果によっては防御動作が実行されない。このように、防御動作が実行されるまでの条件が厳しくなり、防御動作の誤作動を防止することが可能となる。
【００３２】
また、防御動作選択テーブル３１０には、複数通りの識別情報の組合せにそれぞれの命令先が予め登録される。その結果、携帯端末１０は、複数の候補のうち一つの防御動作を行うことができ、どの防御動作が行われるかは、防御動作実行制御部２０９が受け取った識別情報の組合せによって決定される。つまり、ユーザは、メニュー画面等で防御動作の再設定することなく、複数の候補から一つの防御動作を状況に応じて選択的に携帯端末１０に行わせることができる。
【００３３】
また、防御動作実行制御部２０９が防御動作選択テーブル３１０に登録された識別情報の組合せを受け取ったとしても、受け取り間隔によっては、防御動作が実行されない。このように、防御動作が実行されるまでの条件が厳しくなり、防御動作の誤作動を防止することが可能となる。
【００３４】
大音量出力部２０１、メール送信部２０２および電話番号発信部２０３は、防御動作実行制御部２０９の命令を受けて、所定の防御動作を実行する。具体的には、大音量出力部２０１は、防御動作実行制御部２０９から制御信号を受け取ると、スピーカ１０１によって大音量の警報音を鳴らす。また、メール送信部２０２は、防御動作実行制御部２０９から制御信号を受け取ると、予め設定されたアドレスへ所定の内容のメールを送信するように無線通信処理部２１０に指示する。また、電話番号発信部２０３は、防御動作実行制御部２０９から制御信号を受け取ると、予め設定された電話番号へ発信するように無線通信処理部２１０に指示する。無線通信処理部２１０は、メール送信部２０２や電話番号発信部２０３からの指示に基づいてメール送信や電話番号発信等に係る無線通信処理を行い、アンテナ１０９から電波を発信する。
【００３５】
なお、所定の防御動作を実行する処理部として、大音量出力部２０１、メール送信部２０２および電話番号発信部２０３を例に挙げたが、異常事態に対処するための動作を行う処理部であればいかなるものであってもよい。例えば、メール送信と電話番号発信を行なう処理部をさらに備えるようにしてもよい。その場合、防御動作選択テーブル３１０には、当該処理部を識別するための識別情報が、所定の第１識別情報と第２識別情報の組合せに対応付けられて登録される。
【００３６】
次に、テーブル設定処理部２０８の処理について説明する。防御動作実行制御部２０９が参照する防御動作選択テーブル３１０の内容については変更可能であり、テーブル設定処理部２０８は、操作キー１０２から所定の入力を受け付けると、表示部１０６に図４−１〜図４−７に示すような画面を表示する。ユーザが表示部１０６に表示された画面にしたがって操作キー１０２を操作することで、防御動作選択テーブル３１０の内容が変更される、あるいは、防御動作選択テーブル３１０に第１識別情報、第２識別情報、時間情報および命令先が新たに登録される。図４−１〜図４−７は、テーブル設定処理部２０８が表示部１０６に表示する画面の例を示す図である。
【００３７】
テーブル設定処理部２０８は、例えば、第１識別情報、第２識別情報および命令先の変更画面として、図４−１に示すように、「カスタム防御動作１」といった表題と、「第１センサ」、「第２センサ」および「防御動作」といった項目と、項目ごとの選択欄とを表示部１０６に表示する。テーブル設定処理部２０８は、「第１センサ」の選択欄の決定事項を防御動作選択テーブル３１０の第１識別情報に反映し、「第２センサ」の選択欄の決定事項を同じく第２識別情報に反映し、「防御動作」の選択欄の決定事項を同じく命令先に反映する。
【００３８】
ユーザが操作キー１０２を操作すると、テーブル設定処理部２０８は、例えば、図４−２に示すように、「第１センサ」の選択欄中に複数の候補を表示する。ここでは、例えば、「モーションセンサ」が選択されるものとする。次に、テーブル設定処理部２０８は、例えば、図４−３に示すように、「第２センサ」の選択欄中に複数の候補を表示する。ここでは、例えば、「音声認識」が選択されるものとする。次に、テーブル設定処理部２０８は、図４−４に示すように、「防御動作」の選択欄中に複数の候補を表示する。ここで、例えば、「緊急アラーム」が選択されると、テーブル設定処理部２０８は、防御動作選択テーブル３１０の命令先に、大音量出力部２０１が識別される識別情報を書き込む。
【００３９】
そして、テーブル設定処理部２０８は、例えば、図４−５に示すように、「モーションセンサ」といった表題と、「検出動作選択」といった項目と、選択欄とを表示し、選択欄には複数の候補を表示する。ここで、例えば、「上下振動」が選択されると、テーブル設定処理部２０８は、防御動作選択テーブル３１０の第１識別情報に、「上下振動」に対応する識別情報を書き込む。
【００４０】
そして、テーブル設定処理部２０８は、図４−６に示すように、「音声認識」といった表題と、「認識音声登録」といった項目と、選択欄とを表示し、選択欄には複数の候補を表示する。ここで、例えば、「タスケテ」が選択されると、テーブル設定処理部２０８は、防御動作選択テーブル３１０の第２識別情報に、「タスケテ」に対応する識別情報を書き込む。つまり、テーブル設定処理部２０８は、上下振動に対応する識別情報と、「タスケテ」に対応する識別情報を第１識別情報と第２識別情報の組合せとして防御動作選択テーブル３１０に書き込み、当該組合せに対応する命令先として上述した大音量出力部２０１が識別される識別情報を書き込む。
【００４１】
そして、テーブル設定処理部２０８は、時間情報の変更画面として、例えば、図４−７に示すように、「第２センサ検出時間」といった表題と、選択欄とを表示し、選択欄には複数の候補を表示する。ここで、例えば、「１０秒」が選択されると、テーブル設定処理部２０８は、防御動作選択テーブル３１０の時間情報に、「１０秒」に対応する時間情報を書き込む。つまり、テーブル設定処理部２０８は、前述した組合せに対応する時間情報として「１０秒」に対応する時間情報を書き込む。
【００４２】
次に、防御動作実行制御部２０９の処理動作について図５を用いて説明する。図５は、防御動作実行制御部２０９の処理の流れを示すフローチャートである。
【００４３】
図５に示すように、防御動作実行制御部２０９は、識別情報を受け取るまで待機する（ステップＳ１１１）。そして、防御動作実行制御部２０９は、識別情報を受け取り（ステップＳ１１１肯定）、次の識別情報を受け取った場合には（ステップＳ１１２肯定）、防御動作選択テーブル３１０を参照し、前回受け取った識別情報と、今回受け取った識別情報の組合せを検索する（ステップＳ１１４）。
【００４４】
一方、識別情報を受け取らずに（ステップＳ１１２否定）、一定時間が経過した場合には（ステップＳ１１３肯定）、防御動作実行制御部２０９は、次の識別情報を受け取るまで待機する（ステップＳ１１１）。
【００４５】
検索の結果、該当する組合せがヒットした場合には（ステップＳ１１５肯定）、防御動作実行制御部２０９は、組合せに対応付けられた時間情報および命令先を選択する（ステップＳ１１６）。そして、防御動作実行制御部２０９は、２つの識別情報の受け取り間隔と、選択した時間情報を比較し（ステップＳ１１７）、受け取り間隔が選択した時間情報より小さい場合には（ステップＳ１１７肯定）、選択した命令先に制御信号を出力し（ステップＳ１１８）、処理を終了する。
【００４６】
一方、該当する組合せがヒットしなかった場合、もしくは、受け取り間隔が選択した時間情報の値以上である場合には（ステップＳ１１５否定またはステップＳ１１７否定）、次の識別情報を受け取るまで一定時間だけ待機する（ステップＳ１１２）。
【００４７】
上述してきたように、本実施例に係る携帯端末１０では、防御動作実行制御部２０９は、ボタン操作判定部２０４、加速度判定部２０５、光強度判定部２０６あるいは音声認識部２０７から受け取った識別情報の組合せによって、大音量出力部２０１、メール送信部２０２および電話番号発信部２０３のいずれに制御信号を出力するかを制御する。その結果として、例えば、携帯端末１０のユーザが、友達とふざけあっているときに、「タスケテ」と発声した場合、音声認識部２０７から防御動作実行制御部２０９へ識別情報が出力される。しかし、次の識別情報が防御動作実行制御部２０９へ出力されない限り、防御動作が実行されることはない。また、次の識別情報が出力されたとしても、防御動作選択テーブル３１０の検索結果によっては防御動作が実行されない。このように、防御動作が実行されるまでの条件が厳しくなり、防御動作の誤作動を防止することが可能となる。
【００４８】
また、防御動作選択テーブル３１０には、複数通りの識別情報の組合せにそれぞれの命令先が予め登録される。その結果として、例えば、携帯端末１０を上下に振った後、左右に振ることで、携帯端末１０に大音量を出させることもできるし、操作キー１０２を押下した後、携帯端末１０を左右に振ることで、携帯端末１０に所定のアドレスへのメール送信を行なわせることもできる。このように、ユーザは、メニュー画面等で防御動作の再設定することなく、複数の候補から一つの防御動作を状況に応じて選択的に行うことができる。
【００４９】
また、識別情報が２つ続けて防御動作実行制御部２０９へ出力されたとしても、２つの識別情報の受け取り間隔が所定の時間より短くないと防御動作が実行されない。こうすることで、防御動作が実行されるまでの条件がより厳しくなり、防御動作の誤作動をさらに防止することが可能となる。
【００５０】
なお、上記の実施例では、防御動作選択テーブル３１０に登録される組合せは、第１識別情報と第２識別情報の２つの識別情報を組み合わせたものであり、防御動作実行制御部２０９が、各部から受け取った２つの識別情報の組合せを用いて検索するものとして説明した。しかし、本開示の技術はこれに限定されるものではなく、防御動作選択テーブル３１０に登録される組合せは、３つ以上の識別情報を組み合わせたもので、防御動作実行制御部２０９が、各部から受け取った３つ以上の識別情報の組合せを用いて検索するようにしてもよい。その場合、登録される組合せと、検索に用いられる組合せとは、同数の識別情報を組み合わせたものであることが望ましい。
【００５１】
なお、上記の実施例では、防御動作選択テーブル３１０において、第１識別情報と第２識別情報の組合せに、命令先のほか、時間情報が対応付けられ、防御動作実行制御部２０９が、防御動作を実行するか否かを判定する際に用いられるものとして説明した。しかし、本発明はこれに限定されるものではなく、第１識別情報と第２識別情報の組合せに、命令先のみが対応付けられ、防御動作実行制御部２０９が各部から受け取った２つの識別情報の組合せのみで防御動作を実行するか否かを判定するようにしてもよい。
【００５２】
なお、図１に示した本実施例に係る携帯端末１０の構成は、本発明の要旨を逸脱しない範囲で種々に変更できる。例えば、携帯端末１０の制御部１０７の機能をソフトウェアとして実装し、これをＣＰＵ（Central  Processing  Unit）で実行して、携帯端末１０と同等の機能を実現できる。以下に、制御部１０７の機能をソフトウェアとして実装した防御動作実行プログラム４３１を実行する携帯端末の一例を示す。
【００５３】
図６は、防御動作実行プログラム４３１を実行する携帯端末４００を示す機能ブロック図である。この携帯端末４００は、各種演算処理を実行するＣＰＵ４１０と、携帯端末４００への入力を受け付ける操作キー４０１、加速度センサ４０２、光センサ４０３、マイク４０４と、画像や音声など各種情報を出力する表示部４０５およびスピーカ４０６と、無線通信処理を実行してアンテナ４０８から電波を送受信する無線通信部４０７と、各種情報を一時記憶するＲＡＭ（Random  Access  Memory）４２０と、ＲＯＭ（Read  Only  Memory）４３０とをバス４４０で接続して構成される。
【００５４】
そして、ＲＯＭ４３０には、図１に示した制御部１０７と同様の機能を有する防御動作実行プログラム４３１が記憶され、図１に示した防御動作選択テーブル３１０に相当する防御動作選択テーブルデータ４３２が設けられる。
【００５５】
そして、ＣＰＵ４１０が防御動作実行プログラム４３１をＲＯＭ４３０から読み出してＲＡＭ４２０に展開すると、防御動作実行プログラム４３１は、防御動作実行プロセス４２１として機能するようになる。そして、防御動作実行プロセス４２１は、防御動作選択テーブル３１０から読み出した情報等を適宜ＲＡＭ４２０上の自身に割り当てられた領域に展開し、この展開したデータ等に基づいて各種データ処理を実行する。
【００５６】
なお、上記の防御動作実行プログラム４３１は、必ずしもＲＯＭ４３０に格納されている必要はなく、メモリーカード等の記憶媒体に記憶されたこのプログラムを、携帯端末４００が読み出して実行するようにしてもよい。また、公衆回線、インターネット、ＬＡＮ（Local  Area  Network）、ＷＡＮ（Wide  Area  Network）等を介して携帯端末４００に接続される他のコンピュータ（またはサーバ）等にこのプログラムを記憶させておき、携帯端末４００がこれらからプログラムを読み出して実行するようにしてもよい。
【図面の簡単な説明】
【００５７】
【図１】本実施例に係る携帯端末の構成を示すブロック図である。
【図２】防御動作選択テーブルの具体例を示す図である。
【図３】音声パターンの具体例を示す図である。
【図４−１】テーブル設定処理部２０８が表示部１０６に表示する画面の例を示す図である。
【図４−２】テーブル設定処理部２０８が表示部１０６に表示する画面の例を示す図である。
【図４−３】テーブル設定処理部２０８が表示部１０６に表示する画面の例を示す図である。
【図４−４】テーブル設定処理部２０８が表示部１０６に表示する画面の例を示す図である。
【図４−５】テーブル設定処理部２０８が表示部１０６に表示する画面の例を示す図である。
【図４−６】テーブル設定処理部２０８が表示部１０６に表示する画面の例を示す図である。
【図４−７】テーブル設定処理部２０８が表示部１０６に表示する画面の例を示す図である。
【図５】防御動作実行制御部の処理の流れを示すフローチャートである。
【図６】防御動作実行プログラムを実行する携帯端末を示す図である。
【符号の説明】
【００５８】
１０  携帯端末
１０１  スピーカ
１０２  操作キー
１０３  加速度センサ
１０４  光センサ
１０５  マイク
１０６  表示部
１０７  制御部
１０８  記憶部
１０９  アンテナ
２０１  大音量出力部
２０２  メール送信部
２０３  電話番号発信部
２０４  ボタン操作判定部
２０５  加速度判定部
２０６  光強度判定部
２０７  音声認識部
２０８  テーブル設定処理部
２０９  防御動作実行制御部
２１０  無線通信処理部
３１０  防御動作選択テーブル
３２０  音声パターン
【図１】
2010010970.tif 000003
【図２】
2010010970.tif 000004
【図３】
2010010970.tif 000005
【図４−１】
2010010970.tif 000006
【図４−２】
2010010970.tif 000007
【図４−３】
2010010970.tif 000008
【図４−４】
2010010970.tif 000009
【図４−５】
2010010970.tif 000010
【図４−６】
2010010970.tif 000011
【図４−７】
2010010970.tif 000012
【図５】
2010010970.tif 000013
【図６】
2010010970.tif 000014